(57)【要約】【課題】電柱表面の既設置物を取り外すことなく、低コストで容易に電柱を補強する。【解決手段】基端側にバンド締付けボルト１３ａが挿入されるバンド締付けボルト孔が形成され、先端側には連結ボルト１５ａに掛止される掛止部１１ｂ２が設けられた一対の締付けバンド１１，１１と、連結ボルト１５ａを介し一対の締付けバンド１１，１１と回動可能に連結され、補強部材２を挟持する一対の補強部材挟持金具１２，１２とを備え、その一対の補強部材挟持金具１２，１２には、補強部材２を挟持した際、電柱と補強部材２との間および補強部材２における電柱とは反対側を補強部材外側通しボルト１６ａ，１７ａが通るように補強部材２の幅よりも離間した複数の補強部材外側通しボルト孔が設けられていると共に、補強部材２の貫通孔を貫通する補強部材貫通ボルト１８ａが通る補強部材貫通ボルト孔が設けられている【選択図】図３
2020105776.tif 000002
【特許請求の範囲】
【請求項１】
電柱の長手方向に補強部材を設けて補強する電柱補強部材取付金具であって、
基端側にはバンド締付けボルトが挿入されるバンド締付けボルト孔が形成されている一方、先端側には連結ボルトに掛止される掛止部が設けられた一対の締付けバンドと、
連結ボルト孔に挿入した前記連結ボルトを介し前記一対の締付けバンドと回動可能に連結され、前記補強部材を挟持する一対の補強部材挟持金具とを備え、
前記補強部材には、任意の間隔で水平方向に補強部材貫通ボルトが貫通するように貫通孔が形成されている一方、
前記一対の補強部材挟持金具には、それぞれ、前記補強部材を挟持した際、電柱と前記補強部材との間および前記補強部材における電柱とは反対側を補強部材外側通しボルトが通るように前記補強部材の幅よりも離間した複数の補強部材外側通しボルト孔と、前記補強部材の貫通孔を貫通した前記補強部材貫通ボルトが通る補強部材貫通ボルト孔とが設けられていることを特徴とする電柱補強部材取付金具。
【請求項２】
請求項１記載の電柱補強部材取付金具において、
前記補強部材は、断面正方形の角鋼であり、
前記一対の補強部材挟持金具は、それぞれ、背板部と、その背板部の両側に対向する一対の側板部とを有する断面形状がコ字形状であって、前記一対の側板部における前記背板部の反対側には、それぞれ、前記補強部材の外形に応じたコ字形状の補強部材挟持用凹部が形成されていると共に、その補強部材挟持用凹部の両外側をそれぞれ前記補強部材外側通しボルトが通るように前記背板部に前記補強部材外側通しボルト孔が設けられており、その補強部材挟持用凹部が前記補強部材の外側面に当接することにより挟持することを特徴とする電柱補強部材取付金具。
【請求項３】
請求項２記載の電柱補強部材取付金具において、
前記補強部材挟持用凹部の隅部には、それぞれ、前記背板の方向に向かって切欠かれた切欠き部が設けられていることを特徴とする電柱補強部材取付金具。
【請求項４】
請求項１〜請求項３のいずれか一の請求項に記載の電柱補強部材取付金具を複数組用意して前記補強部材の長手方向に間隔を空けながら固定し、
複数組の前記電柱補強部材取付金具を固定した前記補強部材を吊上げて電柱に固定する際には、複数組の前記電柱補強部材取付金具の前記各締付けバンドの基端側の前記バンド締付けボルトを取り外し前記各締付けバンドを拡げて電柱をその両側から挟み、
その後、前記各締付けバンドそれぞれの前記バンド締付けボルト孔に前記バンド締付けボルトを挿入してナットにより締付けることにより前記補強部材で電柱を補強するようにしたことを特徴とする電柱の補強方法。
【発明の詳細な説明】
【技術分野】
【０００１】
本発明は、電柱の長手方向に補強部材を設けて補強する電柱補強部材取付金具および電柱の補強方法に関する。
【背景技術】
【０００２】
従来の既設の電柱の補強方法として、例えば、繊維補強された樹脂を巻き付けて補強したり、さらには繊維補強された樹脂によって形成された補強片をあらかじめ工場等で生産し、当該補強片を電柱に取り付けて一体化させ、電柱の周方向を覆う連結体を形成し、連結体と電柱とを接着剤で固定する補強方法等が提案されている（例えば、特許文献１参照。）。
【先行技術文献】
【特許文献】
【０００３】
【特許文献１】特開２０１５−２３２２３７号公報
【発明の概要】
【発明が解決しようとする課題】
【０００４】
しかし、上述の特許文献１に記載された従来の電柱補強方法は、既設の電柱の破損や劣化部分等の電柱の部分的な補強に有効な補強方法であるが、電柱に添架する電線やケーブルの増加によって電柱を補強する場合には、繊維補強された樹脂によって形成された補強片を電柱全体に巻き付けて接着剤で固定する必要があるため、手間がかかると共に、コストがかかるという問題があった。
【０００５】
特に、既設の電柱表面には既に他の締付けバンドや電力ケーブルまたは通信ケーブル、それらを保護する立上り防護管または引上げ管、さらにはそれらの留め金具や、電力機器等の既設置物が設けられているため、上述の特許文献１に記載された従来の電柱補強方法による繊維補強された補強片による補強では、電柱表面には既に設けたケーブルや電力機器等を取り外す必要があり、既設の電柱の補強には不向きであった。
【０００６】
そこで、本発明はこのような問題点に着目してなされたもので、電柱表面の既設置物を取り外すことなく、低コストで容易に電柱を補強することができる電柱補強部材取付金具および電柱の補強方法を提供することを目的とする。
【課題を解決するための手段】
【０００７】
上記課題を解決するため、本発明に係る電柱補強部材取付金具は、電柱の長手方向に補強部材を設けて補強する電柱補強部材取付金具であって、基端側にはバンド締付けボルトが挿入されるバンド締付けボルト孔が形成されている一方、先端側には連結ボルトに掛止される掛止部が設けられた一対の締付けバンドと、連結ボルト孔に挿入した前記連結ボルトを介し前記一対の締付けバンドと回動可能に連結され、前記補強部材を挟持する一対の補強部材挟持金具とを備え、前記補強部材には、任意の間隔で水平方向に補強部材貫通ボルトが貫通するように貫通孔が形成されている一方、前記一対の補強部材挟持金具には、それぞれ、前記補強部材を挟持した際、電柱と前記補強部材との間および前記補強部材における電柱とは反対側を補強部材外側通しボルトが通るように前記補強部材の幅よりも離間した複数の補強部材外側通しボルト孔と、前記補強部材の貫通孔を貫通した前記補強部材貫通ボルトが通る補強部材貫通ボルト孔とが設けられていることを特徴とする。
また、本発明に係る電柱補強部材取付金具では、前記補強部材は、断面正方形の角鋼であり、前記一対の補強部材挟持金具は、それぞれ、背板部と、その背板部の両側に対向する一対の側板部とを有する断面形状がコ字形状であって、前記一対の側板部における前記背板部の反対側には、それぞれ、前記補強部材の外形に応じたコ字形状の補強部材挟持用凹部が形成されていると共に、その補強部材挟持用凹部の両外側をそれぞれ前記補強部材外側通しボルトが通るように前記背板部に前記補強部材外側通しボルト孔が設けられており、その補強部材挟持用凹部が前記補強部材の外側面に当接することにより挟持することも特徴とする。
また、本発明に係る電柱補強部材取付金具では、前記補強部材挟持用凹部の隅部には、それぞれ、前記背板の方向に向かって切欠かれた切欠き部が設けられていることを特徴とする電柱補強部材取付金具。
また、本発明に係る電柱の補強方法は、上述のいずれかの電柱補強部材取付金具を複数組用意して前記補強部材の長手方向に間隔を空けながら固定し、複数組の前記電柱補強部材取付金具を固定した前記補強部材を吊上げて電柱に固定する際には、複数組の前記電柱補強部材取付金具の前記各締付けバンドの基端側の前記バンド締付けボルトを取り外し前記各締付けバンドを拡げて電柱をその両側から挟み、その後、その後、前記各締付けバンドそれぞれの前記バンド締付けボルト孔に前記バンド締付けボルトを挿入してナットにより締付けることにより前記補強部材で電柱を補強するようにしたことを特徴とする。
【発明の効果】
【０００８】
本発明に係る電柱補強部材取付金具および電柱の補強方法によれば、一対の締付けバンドと、基端側に設けられた連結ボルト孔に挿入した連結ボルトを介し一対の締付けバンドと回動可能に連結され、補強部材を挟持する一対の補強部材挟持金具とを備え、補強部材には、任意の間隔で水平方向に補強部材貫通ボルトが貫通するように貫通孔を形成する一方、一対の補強部材挟持金具には、それぞれ、補強部材を挟持した際、電柱と補強部材との間および補強部材における電柱とは反対側を補強部材外側通しボルトが通るように補強部材の幅よりも離間した複数の補強部材外側通しボルト孔を設けると共に、補強部材の貫通孔を貫通する補強部材貫通ボルトが通るように補強部材貫通ボルト孔を設ける。
そのため、既設の電柱であっても電柱の表面に既に設置している他の締付けバンドや電力ケーブル、それらを保護する防護管、さらにはそれらの留め金具や電力機器等を取り外すことなく、低コストで容易に電柱を補強することができる。
【図面の簡単な説明】
【０００９】
【図１】本発明に係る実施形態の電柱補強部材取付金具と補強部材を使用して円柱を補強している状態を示す正面図である。
【図２】本発明に係る実施形態の電柱補強部材取付金具に補強部材を装着した状態を示す斜視図である。
【図３】本発明に係る実施形態の電柱補強部材取付金具に補強部材を装着した状態を示す拡大平面図である。
【図４】補強部材を装着した状態の実施形態の電柱補強部材取付金具を示す拡大正面図である。
【図５】（ａ），（ｂ）それぞれ、本発明に係る実施形態の電柱補強部材取付金具を構成する補強部材挟持金具の正面図、平面図である。
【図６】（ａ），（ｂ）それぞれ、本発明に係る実施形態の電柱補強部材取付金具を構成する補強部材挟持金具の左側面図、右側面図である。
【発明を実施するための形態】
【００１０】
以下、本発明に係る電柱補強部材取付金具および電柱の補強方法の実施形態について、図面を参照して説明する。なお、下記に説明する実施形態はあくまで本発明の一例であり、本発明は下記の実施形態に限定されるものではなく、本発明の技術思想の範囲内で適宜変更可能である。
【００１１】
＜実施形態の電柱補強部材取付金具１＞
実施形態の電柱補強部材取付金具１は、図１〜図５に示すように、電柱３の長手方向に間を開けて補強部材２を並設して補強するもので、一対の締付けバンド１１，１１と、一対の補強部材挟持金具１２，１２と、一対の締付けバンド１１，１１を締め付けたり長さを調整するバンド締付けボルト１３ａや長さ調整ボルト１４ａおよびナット１３ｂ，１４ｂと、締付けバンド１１と補強部材挟持金具１２とを連結する連結ボルト１５ａおよびナット１５ｂと、補強部材外側通しボルト１６ａ，１７ａおよびナット１６ｂ，１７ｂと、補強部材貫通ボルト１８ａおよびナット１８ｂと、ワッシャ（座金）等を備えて構成される。
【００１２】
尚、補強部材２は、図２や図３等に示すように、断面形状が正方形の鋼管を使用し、補強部材２の側面にはその長手方向に一定間隔で補強部材貫通ボルト１８ａが貫通するように挿入される貫通孔２ａを例えば５０ｃｍ程度の一定間隔で複数設ける。ただし、貫通孔２ａは一定間隔でなくても勿論良いし、複数ではなく補強部材２の例えば下方に１箇所のみでも勿論良い。
【００１３】
（一対の締付けバンド１１，１１）
一対の締付けバンド１１，１１は、周知のもので、それぞれ、第１締付けバンド１１ａと第２締付けバンド１１ｂとをそれらの複数の長さ調整ボルト孔１１ａ１，１１ｂ１に長さ調整ボルト１４ａを通してナット１４ｂで締結することによって長さを調整できるように構成されており、基端側にはバンド締付けボルト１３ａが挿入されるバンド締付けボルト孔が形成されている一方、先端側には連結ボルト１５ａに掛止されるリング（輪っか）形状の掛止部１１ｂ２，１１ｂ２が形成されている。
【００１４】
（一対の補強部材挟持金具１２，１２）
一対の締付けバンド１１，１１は、補強部材２を挟持する新規なもので、それぞれ、図５（ａ），（ｂ）および図６（ａ），（ｂ）に示すように、背板部１２ａと、その背板部１２ａの両側から対向するように延びる一対の側板部１２ｂ，１２ｂとを有する断面形状がコ字形状に形成されている。
【００１５】
背板部１２ａには、図６（ａ），（ｂ）に示すように、電柱３と補強部材２との間および補強部材２における電柱とは反対側をそれぞれ補強部材外側通しボルト１６ａ，１７ａが通るように補強部材２の幅よりも離間した２つの補強部材外側通しボルト孔１２ａ１，１２ａ２が設けられていると共に、補強部材２の貫通孔を貫通する補強部材貫通ボルト１８ａが通るように補強部材外側通しボルト孔１２ａ１，１２ａ２の間に補強部材貫通ボルト孔１２ａ３が設けられている
【００１６】
そのため、２つの補強部材外側通しボルト孔１２ａ１，１２ａ２は、一対の側板部１２ｂ，１２ｂの後述する強部材挟持用凹部１２ｂ３，１２ｂ３を構成する短辺１２ｂ３２，１２ｂ３２よりもそれぞれ外側に設けられ、補強部材外側通しボルト１６ａ，１７ａおよびナット１６ｂ，１７ｂを締付けることによって一対の側板部１２ｂ，１２ｂの長辺１２ｂ３１の端面同士のみでなく、対向する短辺１２ｂ３２，１２ｂ３２の端面でも補強部材２を挟持することができる。
【００１７】
また、２つの補強部材外側通しボルト孔１２ａ１，１２ａ２の内、電柱３に近い側の補強部材外側通しボルト孔１２ａ１は、そこを通る補強部材外側通しボルト１６ａが図１に示すように電柱３表面から離れ接触しないように背板部１２ａの電柱３側、すなわち締付けバンド１１側となる基端部１２ａ４から一定間隔離して設けている。
【００１８】
一対の側板部１２ｂ，１２ｂには、それぞれ基端側である締付けバンド１１，１１側に、図５（ａ）等に示すように、一対の締付けバンド１１，１１の掛止部１１ｂ２，１１ｂ２が掛止される連結ボルト１５ａ，１５ａを通すための連結ボルト孔１２ｂ１，１２ｂ１が設けられている。
【００１９】
ここで、一対の側板部１２ｂ，１２ｂの基端側には、図５（ａ）に示すように、一対の締付けバンド１１，１１に連結ボルト１５ａ，１５ａで連結して電柱３に補強固に固定した際、連結ボルト１５ａ，１５ａを中心として一対の側板部１２ｂ，１２ｂに開く力が働かないよう、それぞれ、電柱３表面に当接する傾斜当接部１２ｂ２，１２ｂ２を設けている。
【００２０】
また、一対の側板部１２ｂ，１２ｂの連結ボルト孔１２ｂ１，１２ｂ１に挿入した連結ボルト１５ａ，１５ａで締付けバンド１１，１１を連結した状態でも、連結ボルト１５ａ，１５ａを回動軸として締付けバンド１１，１１がそれぞれ補強部材挟持金具１２，１２に対し開閉できるように、連結ボルト孔１２ｂ１，１２ｂ１側の傾斜当接部１２ｂ２，１２ｂ２端部は、背板部１２ａの基端部１２ａ４よりも突出させている。
【００２１】
また、側板部１２ｂ，１２ｂの開口端側、すなわち背板部１２ａ，１２ａの反対側先端中央には、補強部材２の外形である断面正方形状に応じたコ字形状で長辺１２ｂ３１と対向する短辺１２ｂ３２，１２ｂ３２とを有する補強部材挟持用凹部１２ｂ３，１２ｂ３が形成されていると共に、上述したように補強部材挟持用凹部１２ｂ３の両外側をそれぞれ補強部材外側通しボルト１６ａ，１７ａが通るように背板部１２ａに補強部材外側通しボルト孔１２ａ１，１２ａ２（図６（ａ），（ｂ）参照。）が設けられており、補強部材挟持用凹部１２ｂ３，１２ｂ３を構成する長辺１２ｂ３１および短辺１２ｂ３２，１２ｂ３２が補強部材２の外側面に３辺で当接して挟持するように構成されている。
【００２２】
そして一対の側板部１２ｂ，１２ｂに形成された補強部材挟持用凹部１２ｂ３，１２ｂ３の２箇所の隅部には、それぞれ、丸孔形成用のドリル（図示せず。）等によって形成した切欠き部１２ｂ４，１２ｂ４が設けられている。
【００２３】
切欠き部１２ｂ４，１２ｂ４の大きさは、特に限定しないが、本実施形態では、図３に示すように平面視、下方を通る補強部材外側通しボルト１７ａの軸部が上方から確認できる程度の大きさに形成して、補強部材挟持用凹部１２ｂ３，１２ｂ３を構成する短辺１２ｂ３２，１２ｂ３２も補強部材２の外側面に補強固に当接して挟持するように構成している。
【００２４】
＜実施形態の電柱補強部材取付金具１を使用した電柱の補強方法＞
次に、以上のように構成された本発明に係る実施形態の電柱補強部材取付金具１を使用した電柱の補強方法の一例について説明する。
【００２５】
まず、本実施形態の電柱の補強方法は、以上のように構成された電柱補強部材取付金具１を複数、例えば、図１や図２に示すように４組使用し、予め地上において作業者がその４組の電柱補強部材取付金具１を補強部材２に所定間隔で固定する。
【００２６】
具体的には、４組の電柱補強部材取付金具１それぞれの補強部材挟持金具１２，１２の補強部材貫通ボルト孔１２ａ３の位置と、補強部材２の側面に一定間隔で設けた貫通孔２ａの位置とを合わせて補強部材貫通ボルト１８ａで４組の電柱補強部材取付金具１と補強部材２とを固定できれば良いが、電柱３表面には既に他の締付けバンドや電力ケーブルまたは通信ケーブル、さらにはそれらを保護する立上り防護管または引上げ管、それらの留め金具等の既設置物が上下方向に設けられている場合があるため、４組の電柱補強部材取付金具１全てで補強部材挟持金具１２，１２の補強部材貫通ボルト孔１２ａ３の位置と補強部材２の貫通孔２ａの位置とを合わせることは困難である。
【００２７】
そのため、本実施形態では、４組の電柱補強部材取付金具１に固定した補強部材２が脱落しないよう、例えば、位置が最下位および最上位の電柱補強部材取付金具１では補強部材挟持金具１２，１２の補強部材貫通ボルト孔１２ａ３の位置と、補強部材２の貫通孔２ａの位置とを合わせ、それぞれ補強部材貫通ボルト１８ａで電柱補強部材取付金具１と補強部材２とを固定する。
【００２８】
つまり、最下位および最上位の電柱補強部材取付金具１では、それぞれ、補強部材２の側面の貫通孔２ａに補強部材貫通ボルト１８ａを通すと共に、補強部材挟持金具１２，１２の補強部材外側通しボルト孔１２ａ１，１２ａ２にも強部材外側通しボルト１６ａ，１７ａを通して補強部材２の脱落を確実に防止しながら補強部材２を挟持する。
【００２９】
一方、最下位および最上位の電柱補強部材取付金具１以外の２箇所の電柱補強部材取付金具１では、それぞれ、補強部材挟持金具１２，１２の補強部材貫通ボルト孔１２ａ３に補強部材貫通ボルト１８ａを通さずに、その両側の補強部材外側通しボルト孔１２ａ１，１２ａ２に補強部材外側通しボルト１６ａ，１７ａを通して補強部材２を両側から挟持する。
【００３０】
尚、補強部材貫通ボルト孔１２ａ３に補強部材貫通ボルト１８ａを通し補強部材４を固定する電柱補強部材取付金具１は、４組の電柱補強部材取付金具１の内、いずれか１つの電柱補強部材取付金具１のみでも良いし、さらには４組の電柱補強部材取付金具１全てで補強部材貫通ボルト孔１２ａ３に補強部材貫通ボルト１８ａを通し補強部材４を貫通して固定しても良い。
【００３１】
また、４組の電柱補強部材取付金具１を補強部材４に固定する際、電柱３表面に既設の他の締付けバンドや電力ケーブルまたは通信ケーブル、さらにはそれらを保護する立上り防護管または引上げ管等の既設置物に干渉するおそれがある場合、補強部材貫通ボルト孔１２ａ３に補強部材貫通ボルト１８ａを通して固定する最下位および最上位の電柱補強部材取付金具１は電柱３側の既設置物に干渉しないように補強部材２の貫通孔２ａを適宜選択して補強部材２に固定し、それ以外の電柱補強部材取付金具１では補強部材２の貫通孔２ａの位置に関わらず電柱３側の既設置物に干渉しないように補強部材３に固定する。
【００３２】
以上のようにして地上において補強部材２に４組の電柱補強部材取付金具１を所定間隔で固定した後は、電柱補強部材取付金具１を固定した補強部材２をクレーン等で吊上げて電柱３における強度が弱体化したと予想される箇所まで移動させる。
【００３３】
その際、締付けバンド１１，１１の基端側がバンド締付けボルト１３ａおよびナット１３ｂにより連結されていると、電柱３に電柱補強部材取付金具１を装着できないので、４組の電柱補強部材取付金具１の締付けバンド１１，１１基端側のバンド締付けボルト１３ａおよびナット１３ｂを取り外しておく。
【００３４】
また、なるべく各締付けバンド１１，１１基端側から電柱３側面に装着できるよう、各締付けバンド１１，１１それぞれを連結ボルト１５ａ，１５ａを中心として回動させ、各締付けバンド１１，１１基端側の間隔が電柱３の直径以上拡げておく。
【００３５】
そして、クレーン等で吊上げた補強部材２に固定した４組の電柱補強部材取付金具１それぞれの各締付けバンド１１，１１間に電柱３が位置すると、４組の電柱補強部材取付金具１において各締付けバンド１１，１１基端側のバンド締付けボルト孔にバンド締付けボルト１３ａを挿入してナット１３ｂにより締め付け、４組の電柱補強部材取付金具１を使用した補強部材２による電柱３の補強が完了する
【００３６】
従って、本発明に係る実施形態の電柱補強部材取付金具１では、一対の締付けバンド１１，１１と、基端側に設けられた連結ボルト孔１２ｂ１，１２ｂ１に設けた連結ボルトを介し一対の締付けバンド１１，１１と回動可能に連結され、補強部材２を挟持する一対の補強部材挟持金具１２，１２とを備え、補強部材２には、任意の間隔で水平方向に補強部材貫通ボルト１８ａが貫通するように複数の貫通孔２ａが形成されている一方、一対の補強部材挟持金具１２，１２には、それぞれ、補強部材２を挟持した際、電柱３と補強部材２との間および補強部材２における電柱３とは反対側を補強部材外側通しボルト１７ａが通るように補強部材２の幅よりも離間した複数の補強部材外側通しボルト孔１２ａ１，１２ａ２と、補強部材２の貫通孔を貫通する補強部材貫通ボルト１８ａが通る補強部材貫通ボルト孔１２ａ３を設けている。
【００３７】
そのため、本発明に係る実施形態の電柱補強部材取付金具１によれば、上述した従来技術のように繊維補強された樹脂によって形成された補強片を電柱全体に巻き付けて補強するのではなく、市販されている鋼管等の補強部材２と電柱補強部材取付金具１を複数組使用して電柱３を補強できるので、コストをかけず容易に電柱３を補強することができる。
【００３８】
特に、実施形態の電柱補強部材取付金具１では、電柱補強部材取付金具１の補強部材挟持金具１２，１２に形成した補強部材外側通しボルト孔１２ａ１，１２ａ２の内、電柱３に近い補強部材外側通しボルト孔１２ａ１を通る補強部材外側通しボルト１６ａは電柱３の表面に接触しないように補強部材外側通しボルト孔１２ａ１の位置を設けているため、電柱３と補強部材２との間に空間が空く。
【００３９】
そのため、電柱３表面には既に他の締付けバンドや電力ケーブルまたは通信ケーブル、さらにはそれらを保護する立上り防護管または引上げ管、それらの留め金具等の既設置物が上下方向に設けられていても、電柱３と補強部材２との間の空間に電力ケーブルや通信ケーブルを通すことが可能となるので、電柱３表面に上述のような既設置物があってもそれらを取り外すことなく電柱３を補強でき、結果として効率良く容易に電柱３を補強することができる。
【００４０】
また、実施形態の電柱補強部材取付金具１では、補強部材２は断面形状が正方形の角鋼であり、一対の補強部材挟持金具１２，１２は、それぞれ、背板部１２ａと、その背板部１２ａの両側に対向する一対の側板部１２ｂ，１２ｂとを有する断面形状がコ字形状であって、一対の側板部１２ｂ，１２ｂにおける背板部１２ａの反対側には、それぞれ、補強部材２の外形に応じたコ字形状の補強部材挟持用凹部１２ｂ３，１２ｂ３が形成されていると共に、補強部材挟持用凹部１２ｂ３，１２ｂ３の両外側をそれぞれ補強部材外側通しボルト１６ａ，１７ａが通るように背板部１２ａに補強部材外側通しボルト孔１２ａ１，１２ａ２が設けられている。
【００４１】
そのため、実施形態の電柱補強部材取付金具１によれば、補強部材挟持用凹部１２ｂ３，１２ｂ３が補強部材２の外側面に当接することにより挟持して固定できるので、安価に入手可能な断面正方形状の鋼管が補強部材２の場合でも、確実に挟持することにより固定して電柱３を補強することができる。
【００４２】
また、実施形態の電柱補強部材取付金具１では、一対の補強部材挟持金具１２，１２それぞれの一対の側板部１２ｂ，１２ｂに形成された補強部材挟持用凹部１２ｂ３，１２ｂ３の隅部には、それぞれ、切欠き部１２ｂ４，１２ｂ４を設けている。
【００４３】
そのため、切欠き部１２ｂ４，１２ｂ４および補強部材挟持用凹部１２ｂ３，１２ｂ３の両外側をそれぞれ通る補強部材外側通しボルト１６ａ，１７ａによって補強部材挟持用凹部１２ｂ３，１２ｂ３を構成する長辺１２ｂ３１に対し短辺１２ｂ３２，１２ｂ３２側が曲がり易くなる。
【００４４】
その結果、実施形態の電柱補強部材取付金具１によれば、補強部材挟持用凹部１２ｂ３，１２ｂ３の長辺１２ｂ３１だけでなく、短辺１２ｂ３２，１２ｂ３２でも補強部材２の外側面を強固に挟持して固定することが可能となり、補強部材挟持金具１２，１２の補強部材貫通ボルト孔１２ａ３に補強部材貫通ボルト１８ａを通さずに、その両側の補強部材外側通しボルト孔１２ａ１，１２ａ２に補強部材外側通しボルト１６ａ，１７ａを通して補強部材２を両側から挟持する中間の電柱補強部材取付金具１でも、補強部材２を確実に固定することができる。
【００４５】
また、本発明に係る実施形態の電柱の補強方法では、以上のように構成された電柱補強部材取付金具１を複数組用意して補強部材２の長手方向に間隔を空けながら地上において固定した後、電柱補強部材取付金具１を固定した補強部材２をクレーン等で吊上げ、複数組の電柱補強部材取付金具１の各締付けバンド１１，１１の基端側のバンド締付けボルト１３ａを取り外して各締付けバンド１１，１１を拡げてから電柱３をその両側から挟み、その後、各締付けバンド１１，１１それぞれのバンド締付けボルト孔にバンド締付けボルト１３ａを挿入しナット１３ｂにより締付けることによって補強部材２で電柱３を補強する。
【００４６】
そのため、本発明に係る実施形態の電柱の補強方法によれば、複数組の電柱補強部材取付金具１を固定した補強部材２をクレーン等で吊上げて電柱３に固定する際は、各電柱補強部材取付金具１において各締付けバンド１１，１１それぞれのバンド締付けボルト孔にバンド締付けボルト１３ａを挿入しナット１３ｂにより締付けるだけで電柱３に補強部材２を固定できるので、容易に電柱３を補強することができる。
【符号の説明】
【００４７】
１  電柱補強部材取付金具
１１  締付けバンド
１１ａ  第１締付けバンド
１１ｂ  第２締付けバン
１１ｂ２  掛止部
１２  補強部材挟持金具
１２ａ  背板部
１２ａ１，１２ａ２  補強部材外側通しボルト孔
１２ａ３  補強部材貫通ボルト
１２ｂ，１２ｂ  側板部
１２ｂ１，１２ｂ１  連結ボルト孔
１２ｂ３，１２ｂ３  補強部材挟持用凹部
１２ｂ３１  長辺
１２ｂ３２，１２ｂ３２  短辺
１２ｂ４，１２ｂ４  切欠き部
１３ａ  バンド締付けボルト
１３ｂ  ナット
１４ａ  長さ調整ボルト
１４ｂ  ナット
１５ａ  連結ボルト
１５ｂ  ナット
１６ａ，１７ａ  補強部材外側通しボルト
１６ｂ，１７ｂ  ナット
１８ａ  補強部材貫通ボルト
１８ｂ  ナット
２  補強部材
２ａ  貫通孔
３  電柱
【図１】
2020105776.tif 000003
【図２】
2020105776.tif 000004
【図３】
2020105776.tif 000005
【図４】
2020105776.tif 000006
【図５】
2020105776.tif 000007
【図６】
2020105776.tif 000008